(57)【要約】【課題】第１の端子と第２の端子との距離が狭まっても水滴に起因する短絡を確実に防止可能なモータ機器の端子部構造を提供すること。【解決手段】モータ機器の端子部５には、第１の端子３側と第２の端子４側とに仕切る隔壁６が形成されている。また、隔壁６には、隔壁６と第１の端子３との間に溜まった水滴と、隔壁６と第２の端子４との間に溜まった水滴とを離間させておく水滴離間用の凹凸として、隔壁６の先端部６０で前記第１の端子３と前記第２の端子４とを結んだ仮想線と交差する方向に延びたスリット状凹部６１が１本、形成されている。【選択図】      図２
2004159470.tif 000002
【特許請求の範囲】
【請求項１】
モータケースから突出する異極の第１の端子および第２の端子を備えた端子部に、当該端子部を前記第１の端子側と前記第２の端子側とに仕切る隔壁が形成されたモータ機器の端子部構造において、
前記隔壁には、該隔壁と前記第１の端子との間に溜まる水滴と、当該隔壁と前記第２の端子との間に溜まる水滴とを離間させておく水滴離間用の凹凸が形成されていることを特徴とするモータ機器の端子部構造。
【請求項２】
請求項１において、前記第１の端子、および前記第２の端子には、前記隔壁を露出させた状態のまま、雌コネクタが接続されていることを特徴とするモータ機器の端子部構造。
【請求項３】
請求項１または２において、前記水滴離間用の凹凸は、前記隔壁の先端部で前記第１の端子と前記第２の端子とを結んだ仮想線と交差する方向に延びた少なくとも１本のスリット状凹部であることを特徴とするモータ機器の端子部構造。
【請求項４】
請求項３において、前記隔壁の前記第１の端子側の側面、および前記第２の端子側の側面はそれぞれ、前記第１の端子および前記第２の端子と対向する部分が凹む湾曲面として形成されていることを特徴とするモータ機器の端子部構造。
【請求項５】
請求項１または２において、前記隔壁は、前記水滴離間用の凹凸として当該隔壁の先端部から前記第１の端子側および前記第２の端子側の各々に向けて張り出した張り出し部を備えていることを特徴とするモータ機器の端子部構造。
【請求項６】
請求項５において、前記隔壁の先端部には、前記水滴離間用の凹凸として当該先端部の長手方向に延びるように形成された少なくとも１本のスリット状凹部が形成されていることを特徴とするモータ機器の端子部構造。
【発明の詳細な説明】
【０００１】
【発明の属する技術分野】
本発明は、ギヤードモータなどといったモータ機器の端子部構造に関するものである。さらに詳しくは、端子部における水滴による短絡防止構造に関するものである。
【０００２】
【従来の技術】
洗濯機の排水弁ユニットや換気扇シャッター駆動ユニットでは、小型モータの回転を駆動車および輪列を介して出力車に伝達して排水弁やシャッタを開状態にした後（第１のモード）、この状態を保持し（第２のモード）、しかる後に排水弁やシャッタを閉状態（第３のモード）に戻すように構成されている。
【０００３】
このようなモータ機器を搭載した洗濯機は、湿度が高く、かつ、水滴が飛んでくる条件下で使用される。このため、モータ機器では、小型モータや輪列などをモータケース内に収納するとともに、図８（Ａ）、（Ｂ）、（Ｃ）に斜視図、正面図、および平面図をそれぞれ示すように、モータケースから突出する異極の第１の端子３および第２の端子４を備えた端子部５に対して、端子部５を第１の端子３側と第２の端子４側とに仕切る隔壁６を形成しておき、隔壁６と第１の端子３との間に溜まる水滴と、隔壁６と第２の端子４との間に溜まる水滴とが繋がって短絡することを防止する構造になっている。ここで、第１の端子３、および第２の端子４には各々、雌コネクタ２が装着されるが、この状態においても、隔壁６は露出した状態にある。
【０００４】
【発明が解決しようとする課題】
しかしながら、モータ機器の小型化にともなって、第１の端子３と第２の端子４との距離が狭まると、隔壁６によって第１の端子３側と第２の端子４側とに仕切った構造だけでは、図８（Ｃ）に示すように、隔壁６と第１の端子３との間に溜まった水滴２１と、隔壁６と第２の端子４との間に溜まった水滴２２とが隔壁６の先端部６０で繋がってしまい、短絡するおそれがある。
【０００５】
以上の問題点に鑑みて、第１の端子と第２の端子との距離が狭まっても水滴に起因する短絡を確実に防止可能なモータ機器の端子部構造を提供することにある。
【０００６】
【課題を解決するための手段】
上記課題を解決するために、本発明では、モータケースから突出する異極の第１の端子および第２の端子を備えた端子部に、当該端子部を前記第１の端子側と前記第２の端子側とに仕切る隔壁が形成されたモータ機器の端子部構造において、前記隔壁には、該隔壁と前記第１の端子との間に溜まる水滴と、当該隔壁と前記第２の端子との間に溜まる水滴とを離間させておく水滴離間用の凹凸が形成されていることを特徴とする。
【０００７】
本発明においては、隔壁に水滴離間用の凹凸が形成されているため、隔壁と第１の端子との間に溜まった水滴と、隔壁と第２の端子との間に溜まった水滴は、たとえ表面張力によって膨らんでも、水滴離間用の凹凸を乗り越えない限り、双方の水滴が接続することがない。また、隔壁と第１の端子との間に溜まった水滴、あるいは隔壁と第２の端子との間に溜まった水滴が水滴離間用の凹凸を乗り越えようとしたとき、水滴は、水滴離間用の凹凸によって隔壁との接触面積が規制された状態で膨らんでいるので、自重で落下することになる。それ故、本発明によれば、第１の端子と第２の端子との距離が狭まっても水滴に起因する短絡を確実に防止できる。
【０００８】
本発明は、第１の端子部および第２の端子部に結線が施された構成だけでなく、前記第１の端子、および前記第２の端子に、前記隔壁を露出させた状態のまま、雌コネクタが接続されている場合も適用される。
【０００９】
本発明において、前記水滴離間用の凹凸は、例えば、前記隔壁の先端部で前記第１の端子と前記第２の端子とを結んだ仮想線と交差する方向に延びた少なくとも１本のスリット状凹部である。
【００１０】
本発明において、前記隔壁の前記第１の端子側の側面、および前記第２の端子側の側面はそれぞれ、前記第１の端子および前記第２の端子と対向する部分が凹む湾曲面として形成されていることが好ましい。
【００１１】
本発明において、前記隔壁は、前記水滴離間用の凹凸として当該隔壁の先端部から前記第１の端子側および前記第２の端子側の各々に向けて張り出した張り出し部を備えている構成であってもよい。
【００１２】
このような場合も、前記隔壁の先端部で前記第１の端子と前記第２の端子とを結んだ仮想線と交差する方向に延びた少なくとも１本のスリット状凹部を前記水滴離間用の凹凸として形成してもよい。
【００１３】
【発明の実施の形態】
図面を参照して本発明の実施の形態を説明する。
【００１４】
［実施の形態１］
図１（Ａ）、（Ｂ）はそれぞれ、本発明を適用したモータ機器の要部の平面図、および端子部の正面図である。図２（Ａ）、（Ｂ）、（Ｃ）はそれぞれ、本形態のモータ機器に形成した端子部を模式的に示す斜視図、端子部の正面図、および端子部の平面図である。
【００１５】
図１（Ａ）、（Ｂ）において、本形態のモータ機器１は、洗濯機の排水弁ユニットや換気扇シャッター駆動ユニットに使用されるギャードモータであり、プラスチック製のモータケース１１内で小型モータの回転を駆動車および輪列を介して出力車に伝達して排水弁やシャッタを開状態にした後（第１のモード）、この状態を保持し（第２のモード）、しかる後に排水弁やシャッタを閉状態（第３のモード）に戻すのに用いられる。
【００１６】
このモータ機器１に用いられるステータアセンブリ１０には、図１（Ａ）、（Ｂ）、および図２（Ａ）、（Ｂ）、（Ｃ）に示すように、異極の第１の端子３および第２の端子４を備えた端子部５が形成されているとともに、この端子部５を構成するプラスチック製の基台には、第１の端子３側と第２の端子４側とに仕切る隔壁６が一体に形成されている。このため、モータ機器１を湿度が高く、かつ、水滴が飛んでくる条件下で用いても、端子部５には隔壁６が形成されているため、隔壁６と第１の端子３との間に溜まった水滴と、隔壁６と第２の端子４との間に溜まった水滴とが繋がって短絡するおそれがない。
【００１７】
但し、モータ機器１の小型化に伴って端子部５が占める面積を狭くしたため、第１の端子３と第２の端子４との距離が短い場合には、隔壁６だけでは水滴同士の結合を確実には防止できない。
【００１８】
そこで、本発明では、隔壁６には、隔壁６と第１の端子３との間に溜まった水滴と、隔壁６と第２の端子４との間に溜まった水滴とを離間させておく水滴離間用の凹凸を形成してある。すなわち、本形態においては、水滴離間用の凹凸として、隔壁６には、その先端部６０で第１の端子３と第２の端子４とを結んだ仮想線と交差する方向に延びたスリット状凹部６１が１本、形成されている。
【００１９】
このため、本形態のモータ機器１では、図２（Ｃ）に示すように、隔壁６と第１の端子３との間に溜まった水滴２１と、隔壁６と第２の端子４との間に溜まった水滴２２は、たとえ表面張力で膨らんでも、スリット状凹部６１（水滴離間用の凹凸）を乗り越えない限り、水滴２１、２２が接続することがない。また、本形態では、隔壁６の先端部６０にスリット状凹部６１が形成されているため、隔壁６と第１の端子３との間に溜まった水滴２１、あるいは隔壁６と第２の端子４との間に溜まった水滴２２がスリット状凹部６１を乗り越えようとしたときには、スリット状凹部６１によって隔壁６との接触面積が規制された状態で膨らんでいるので、水滴２１、２２は自重で落下することになる。それ故、第１の端子３と第２の端子４との距離が狭まっても水滴２１、２２に起因する短絡を確実に防止できる。
【００２０】
［実施の形態２］
図３（Ａ）、（Ｂ）、（Ｃ）はそれぞれ、本形態のモータ機器に形成した端子部を模式的に示す斜視図、端子部の正面図、および端子部の平面図である。
【００２１】
図３（Ａ）、（Ｂ）、（Ｃ）に示すように、本形態のモータ機器１でも、異極の第１の端子３および第２の端子４を備えた端子部５が形成されているとともに、この端子部５を構成するプラスチック製の基台には、第１の端子３側と第２の端子４側とに仕切る隔壁６が一体に形成されている。
【００２２】
また、実施の形態１では、隔壁６と第１の端子３との間に溜まった水滴と、隔壁６と第２の端子４との間に溜まった水滴とを離間させておく水滴離間用の凹凸として、隔壁６の先端部６０に１本のスリット状凹部６１を形成したが、本形態では、スリット状凹部６１が隔壁６の基端側から先端側まで形成されており、隔壁６は、所定の間隔を空けて配置された２枚の板状部６６、６７から形成されている。
【００２３】
このように構成したモータ機器１でも、隔壁６と第１の端子３との間に溜まった水滴と、隔壁６と第２の端子４との間に溜まった水滴は、スリット状凹部６１（水滴離間用の凹凸）を乗り越えない限り、双方の水滴が接続することがないため、第１の端子３と第２の端子４との距離が狭まっても水滴に起因する短絡を確実に防止できるなど、実施の形態１と同様な効果を奏する。
【００２４】
［実施の形態３］
図４（Ａ）、（Ｂ）、（Ｃ）はそれぞれ、本形態のモータ機器に形成した端子部５を模式的に示す斜視図、端子部の正面図、および端子部の平面図である。
【００２５】
図４（Ａ）、（Ｂ）、（Ｃ）に示すように、本形態のモータ機器１でも、異極の第１の端子３および第２の端子４を備えた端子部５が形成されているとともに、この端子部５を構成するプラスチック製の基台には、第１の端子３側と第２の端子４側とに仕切る隔壁６が一体に形成されている。
【００２６】
また、実施の形態１では、隔壁６と第１の端子３との間に溜まった水滴と、隔壁６と第２の端子４との間に溜まった水滴とを離間させておく水滴離間用の凹凸として、隔壁６の先端部６０に１本のスリット状凹部６１を形成したが、本形態では、スリット状凹部６１を２本、形成してある。
【００２７】
このように構成したモータ機器１でも、隔壁６と第１の端子３との間に溜まった水滴と、隔壁６と第２の端子４との間に溜まった水滴は、２本のスリット状凹部６１（水滴離間用の凹凸）を乗り越えない限り、双方の水滴が接続することがないため、第１の端子３と第２の端子４との距離が狭まっても水滴に起因する短絡を確実に防止できるなど、実施の形態１と同様な効果を奏する。
【００２８】
［実施の形態４］
図５（Ａ）、（Ｂ）、（Ｃ）はそれぞれ、本形態のモータ機器に形成した端子部５を模式的に示す斜視図、端子部の正面図、および端子部の平面図である。
【００２９】
図５（Ａ）、（Ｂ）、（Ｃ）に示すように、本形態のモータ機器１でも、異極の第１の端子３および第２の端子４を備えた端子部５が形成されているとともに、この端子部５を構成するプラスチック製の基台には、第１の端子３側と第２の端子４側とに仕切る隔壁６が一体に形成されている。
【００３０】
また、実施の形態１では、隔壁６として厚さが等しい平板状のものを形成したが、本形態では、隔壁６については、隔壁６の第１の端子３側の側面、および前記第２の端子４側の側面はそれぞれ、第１の端子３および第２の端子４と対向する部分が凹む湾曲面として形成されている。
【００３１】
また、本形態においては、隔壁６と第１の端子３との間に溜まった水滴と、隔壁６と第２の端子４との間に溜まった水滴とを離間させておく水滴離間用の凹凸としてのスリット状凹部６１が形成され、このスリット状凹部６１は、隔壁６の先端部６０の形状と同様、長手方向における中央部が括れた構造になっている。
【００３２】
このように構成したモータ機器１でも、隔壁６と第１の端子３との間に溜まった水滴と、隔壁６と第２の端子４との間に溜まった水滴は、スリット状凹部６１（水滴離間用の凹凸）を乗り越えない限り、双方の水滴が接続することがないため、第１の端子３と第２の端子４との距離が狭まっても水滴に起因する短絡を確実に防止できるなど、実施の形態１と同様な効果を奏する。
【００３３】
［実施の形態５］
図６（Ａ）、（Ｂ）、（Ｃ）はそれぞれ、本形態のモータ機器に形成した端子部５を模式的に示す斜視図、端子部の正面図、および端子部の平面図である。
【００３４】
図６（Ａ）、（Ｂ）、（Ｃ）に示すように、本形態のモータ機器１でも、異極の第１の端子３および第２の端子４を備えた端子部５が形成されているとともに、この端子部５を構成するプラスチック製の基台には、第１の端子３側と第２の端子４側とに仕切る隔壁６が一体に形成されている。
【００３５】
また、実施の形態１〜４では、水滴離間用の凹凸として、隔壁６に対してスリット状凹部６１を形成したが、本形態において、隔壁６には、水滴離間用の凹凸として、隔壁６の先端部６０から第１の端子３側および前記第２の端子４側の各々に向けて張り出した張り出し部６２が形成されている。
【００３６】
このように構成したモータ機器１では、隔壁６と第１の端子３との間に溜まった水滴と、隔壁６と第２の端子４との間に溜まった水滴は、隔壁６の先端部６０に形成した張り出し部６２（水滴離間用の凹凸）を乗り越えない限り、双方の水滴が接続することがないため、第１の端子３と第２の端子４との距離が狭まっても水滴に起因する短絡を確実に防止できるなど、実施の形態１と同様な効果を奏する。
【００３７】
［実施の形態６］
図７（Ａ）、（Ｂ）、（Ｃ）はそれぞれ、本形態のモータ機器に形成した端子部を模式的に示す斜視図、端子部の正面図、および端子部の平面図である。
【００３８】
図７（Ａ）、（Ｂ）、（Ｃ）に示すように、本形態のモータ機器１でも、異極の第１の端子３および第２の端子４を備えた端子部５が形成されているとともに、この端子部５を構成するプラスチック製の基台には、第１の端子３側と第２の端子４側とに仕切る隔壁６が一体に形成されている。
【００３９】
実施の形態５では、隔壁６には、水滴離間用の凹凸として、隔壁６の先端部６０から第１の端子３側および前記第２の端子４側の各々に向けて張り出した張り出し部６２を形成したが、本形態では、実施の形態５で説明した張り出し部６２を第１の水滴離間用の凹凸として形成するとともに、実施の形態１などで説明したスリット状凹部６１を第２の水滴離間用の凹凸として形成してある。
【００４０】
このように構成したモータ機器１では、隔壁６と第１の端子３との間に溜まった水滴と、隔壁６と第２の端子４との間に溜まった水滴は、隔壁６の先端部６０に形成したスリット状凹部６１、および張り出し部６２（水滴離間用の凹凸）を乗り越えない限り、双方の水滴が接続することがないため、第１の端子３と第２の端子４との距離が狭まっても水滴に起因する短絡を確実に防止できるなど、実施の形態１と同様な効果を奏する。
【００４１】
【発明の効果】
以上説明したように、本発明では、隔壁に水滴離間用の凹凸が形成されているため、隔壁と第１の端子との間に溜まった水滴と、隔壁と第２の端子との間に溜まった水滴は、たとえ表面張力によって膨らんでも、水滴離間用の凹凸を乗り越えない限り、双方の水滴が接続することがない。また、隔壁と第１の端子との間に溜まった水滴、あるいは隔壁と第２の端子との間に溜まった水滴が水滴離間用の凹凸を乗り越えようとしたとき、水滴離間用の凹凸によって隔壁との接触面積が規制された状態で膨らんでいるので、水滴は自重で落下することになる。それ故、本発明によれば、第１の端子と第２の端子との距離が狭まっても水滴に起因する短絡を確実に防止できる。
【図面の簡単な説明】
【図１】（Ａ）、（Ｂ）はそれぞれ、本発明の実施の形態１に係るモータ機器の要部の平面図、および端子部の正面図である。
【図２】（Ａ）、（Ｂ）、（Ｃ）はそれぞれ、本発明の実施の形態１に係るモータ機器に形成した端子部を模式的に示す斜視図、端子部の正面図、および端子部の平面図である。
【図３】（Ａ）、（Ｂ）、（Ｃ）はそれぞれ、本発明の実施の形態２に係るモータ機器に形成した端子部を模式的に示す斜視図、端子部の正面図、および端子部の平面図である。
【図４】（Ａ）、（Ｂ）、（Ｃ）はそれぞれ、本発明の実施の形態３に係るモータ機器に形成した端子部を模式的に示す斜視図、端子部の正面図、および端子部の平面図である。
【図５】（Ａ）、（Ｂ）、（Ｃ）はそれぞれ、本発明の実施の形態４に係るモータ機器に形成した端子部を模式的に示す斜視図、端子部の正面図、および端子部の平面図である。
【図６】（Ａ）、（Ｂ）、（Ｃ）はそれぞれ、本発明の実施の形態５に係るモータ機器に形成した端子部を模式的に示す斜視図、端子部の正面図、および端子部の平面図である。
【図７】（Ａ）、（Ｂ）、（Ｃ）はそれぞれ、本発明の実施の形態６に係るモータ機器に形成した端子部を模式的に示す斜視図、端子部の正面図、および端子部の平面図である。
【図８】（Ａ）、（Ｂ）、（Ｃ）はそれぞれ、従来のモータ機器に形成した端子部を模式的に示す斜視図、端子部の正面図、および端子部の平面図である。
【符号の説明】
１  モータ機器
３  第１の端子
４  第２の端子
５  端子部
６  隔壁
１０  ステータアセンブリ
１１  モータケース
６０  隔壁の先端部
６１  スリット状凹部（水滴離間用の凹凸）
６２  張り出し部（水滴離間用の凹凸）
【図１】
2004159470.tif 000003
【図２】
2004159470.tif 000004
【図３】
2004159470.tif 000005
【図４】
2004159470.tif 000006
【図５】
2004159470.tif 000007
【図６】
2004159470.tif 000008
【図７】
2004159470.tif 000009
【図８】
2004159470.tif 000010